(57)【要約】      （修正有）【課題】力率消耗を低下させる省エネ型コンバーターを提供する。【解決手段】第１のスイッチユニット１０４がＯＮすると、トランス一次側１２０が電気エネルギーを貯蔵し始め、トランス二次側補助巻線１２４が二次側電圧６０を発生し、コンパレータ回路第２の入力端子１３２の電圧がコンパレータ回路第１の入力端子１３０の電圧より大きくなり、コンパレータ回路１０８が第２のスイッチユニット１０６をＯＦＦにする。第１のスイッチユニット１０４がＯＦＦの場合は、コンパレータ回路第２の入力端子１３２の電圧がコンパレータ回路第１の入力端子１３０の電圧より小さくなり、コンパレータ回路１０８が前記第２のスイッチユニット１０６をＯＮにし、トランス二次側１２２が第２のスイッチユニット１０６を介して二次側電流４０を負荷装置３０に伝送する。【選択図】図１
0003184612.tif 000002
【実用新案登録請求の範囲】
【請求項１】
省エネ型コンバーターであって、電源供給装置および負荷装置に応用され、
トランス一次側、トランス二次側およびトランス二次側補助巻線を有し、前記トランス一次側が前記電源供給装置に電気的に接続しているトランスと、
前記トランス一次側に電気的に接続している第１のスイッチユニットと、
前記トランス二次側および前記負荷装置に電気的に接続している第２のスイッチユニットと、
コンパレータ回路出力端子、コンパレータ回路第１の入力端子およびコンパレータ回路第２の入力端子を有し、前記コンパレータ回路出力端子が前記第２のスイッチユニットに電気的に接続し、前記コンパレータ回路第１の入力端子が前記トランス二次側補助巻線に電気的に接続し、前記コンパレータ回路第２の入力端子が前記トランス二次側補助巻線に電気的に接続しているコンパレータ回路と、を含み、
前記第１のスイッチユニットが導通すると、前記トランス一次側が電気エネルギーを貯蔵し始め、前記トランス二次側補助巻線が前記二次側電圧を発生し、前記コンパレータ回路第２の入力端子の電圧が前記コンパレータ回路第１の入力端子の電圧より大きくなり、前記コンパレータ回路が前記第２のスイッチユニットに導通せず、前記第１のスイッチユニットが導通していない場合は、前記コンパレータ回路第２の入力端子の電圧が前記コンパレータ回路第１の入力端子の電圧より小さくなり、前記コンパレータ回路が前記第２のスイッチユニットに導通し、前記トランス二次側が前記第２のスイッチユニットを介して前記二次側電流を前記負荷装置に伝送することを特徴とする省エネ型コンバーター。
【請求項２】
前記第１のスイッチユニットに電気的に接続している第１のスイッチ制御器を、さらに含むことを特徴とする請求項１に記載の省エネ型コンバーター。
【請求項３】
前記電源供給装置および前記トランス一次側に電気的に接続している入力端子電気容量を、さらに含むことを特徴とする請求項２に記載の省エネ型コンバーター。
【請求項４】
前記第２のスイッチユニットおよび負荷装置に電気的に接続している出力端子電気容量を、さらに含むことを特徴とする請求項３に記載の省エネ型コンバーター。
【請求項５】
前記コンパレータ回路は、差動増幅回路であることを特徴とする請求項４に記載の省エネ型コンバーター。
【請求項６】
前記コンパレータ回路は、力率改善回路であることを特徴とする請求項４に記載の省エネ型コンバーター。
【請求項７】
前記コンパレータ回路は、コンパレータで、コンパレータ回路出力端子がコンパレータ出力端子で、コンパレータ回路第１の入力端子がコンパレータ非反転入力端子で、コンパレータ回路第２の入力端子がコンパレータ非反転入力端子であることを特徴とする請求項４に記載の省エネ型コンバーター。
【請求項８】
前記第１のスイッチユニットは、MOSFET、絶縁ゲートバイポーラトランジスタまたはシリコン制御整流子であることを特徴とする請求項４に記載の省エネ型コンバーター。
【請求項９】
前記第２のスイッチユニットは、MOSFET、絶縁ゲートバイポーラトランジスタまたはシリコン制御整流子であることを特徴とする請求項４に記載の省エネ型コンバーター。
【請求項１０】
前記トランスは、フライバックトランス、フォワードトランス、ＬＬＣ共振トランスまたはプッシュプルトランスであることを特徴とする請求項４に記載の省エネ型コンバーター。
【考案の詳細な説明】
【技術分野】
【０００１】
本考案は、コンバーターに関し、特に、力率消耗を低下させる省エネ型コンバーターに関する。
【背景技術】
【０００２】
以下、従来技術を図面に基づいて説明する。図２を参照して説明する。図２は、従来技術によるコンバーターを表す図である。図２に示すように、従来技術によるコンバーター５０は、電源供給装置２０および負荷装置３０に応用される。従来技術のコンバーター５０は、例えば、フライバックコンバータ（flyback converter）である。
【０００３】
従来技術のコンバーター５０は、トランス１０２、第１のスイッチユニット１０４、第１のスイッチ制御器１１４、ダイオード５２および出力端子電気容量１１８を含む。トランス１０２は、トランス一次側１２０およびトランス二次側１２２を有する。
【０００４】
トランス一次側１２０は、電源供給装置２０および第１のスイッチユニット１０４に電気的に接続し、第１のスイッチ制御器１１４は、第１のスイッチユニット１０４に電気的に接続し、ダイオード５２は、トランス二次側１２２、出力端子電気容量１１８および負荷装置３０に電気的に接続している。
【０００５】
第１のスイッチ制御器１１４の制御により第１のスイッチユニット１０４が導通すると、トランス一次側１２０が電気エネルギーを貯蔵し始める。第１のスイッチ制御器１１４の制御により第１のスイッチユニット１０４が導通していない場合は、トランス二次側１２２がダイオード５２を介してエネルギーを放出する。以上が、フライバックコンバータの基本的原理である。
【０００６】
従来技術によるコンバーターは、構造が簡単であるが、ダイオード５２の力率消耗が高かったのが短所であった。
【先行技術文献】
【特許文献】
【０００７】
【特許文献１】実開平６−３６３９２号公報
【考案の概要】
【考案が解決しようとする課題】
【０００８】
本考案の目的は、力率消耗を低下させる省エネ型コンバーターを提供することにある。
【課題を解決するための手段】
【０００９】
上述の目的を達成するため、本考案は、省エネ型コンバーターを提供する。本考案の省エネ型コンバーターは、電源供給装置および負荷装置に応用され、トランス、第１のスイッチユニット、第２のスイッチユニット、コンパレータ回路、第１のスイッチ制御器、入力端子電気容量および出力端子電気容量を含む。第１のスイッチユニットが導通すると、トランス一次側が電気エネルギーを貯蔵し始め、トランス二次側補助巻線が二次側電圧を発生し、コンパレータ回路第２の入力端子の電圧がコンパレータ回路第１の入力端子の電圧より大きくなり、コンパレータ回路が第２のスイッチユニットに導通しない。第１のスイッチユニットが導通していない場合は、コンパレータ回路第２の入力端子の電圧がコンパレータ回路第１の入力端子の電圧より小さくなり、コンパレータ回路が前記第２のスイッチユニットに導通し、トランス二次側が第２のスイッチユニットを介して二次側電流を負荷装置に伝送する。
【考案の効果】
【００１０】
本考案の省エネ型コンバーターは、第２のスイッチユニットの力率消耗がダイオードの力率消耗より小さいため、従来技術のコンバーターより力率消耗を小さくすることができる。
【図面の簡単な説明】
【００１１】
【図１】本考案の一実施形態による省エネ型コンバーターを示す図である。
【図２】従来技術によるコンバーターを表す図である。
【考案を実施するための形態】
【００１２】
以下、本考案の実施形態を図面に基づいて説明する。
【００１３】
図１を参照して説明する。図１は、本考案の第１の実施形態による本考案の一実施形態による省エネ型コンバーターを示す図である。図１に示すように、本考案の省エネ型コンバーター１０は、電源供給装置２０および負荷装置３０に応用される。
【００１４】
省エネ型コンバーター１０は、トランス１０２、第１のスイッチユニット１０４、第２のスイッチユニット１０６、コンパレータ回路１０８、第１のスイッチ制御器１１４、入力端子電気容量１１６および出力端子電気容量１１８を含む。
【００１５】
トランス１０２は、トランス一次側１２０、トランス二次側１２２およびトランス二次側補助巻線１２４を有する。コンパレータ回路１０８は、コンパレータ回路出力端子１２８、コンパレータ回路第１の入力端子１３０およびコンパレータ回路第２の入力端子１３２を有する。
【００１６】
トランス一次側１２０は、電源供給装置２０および第１のスイッチユニット１０４に電気的に接続し、第１のスイッチユニット１０４は、トランス一次側１２０に電気的に接続し、第２のスイッチユニット１０６は、トランス二次側１２２および負荷装置３０に電気的に接続している。
【００１７】
コンパレータ回路出力端子１２８は、第２のスイッチユニット１０６に電気的に接続し、コンパレータ回路第１の入力端子１３０は、トランス二次側補助巻線１２４に電気的に接続し、コンパレータ回路第２の入力端子１３２は、トランス二次側補助巻線１２４に電気的に接続している。
【００１８】
第１のスイッチ制御器１１４は、第１のスイッチユニット１０４に電気的に接続し、入力端子電気容量１１６は、電源供給装置２０およびトランス一次側１２０に電気的に接続し、出力端子電気容量１１８は、第２のスイッチユニット１０６および負荷装置３０に電気的に接続している。
【００１９】
第１のスイッチ制御器１１４の制御により第１のスイッチユニット１０４が導通すると、トランス一次側１２０が電気エネルギーを貯蔵し始め、トランス二次側補助巻線１２４がコンパレータ回路第２の入力端子１３２内で二次側電圧６０を発生する。コンパレータ回路第２の入力端子１３２の電圧は、コンパレータ回路第１の入力端子１３０の電圧より大きく、コンパレータ回路１０８は、第２のスイッチユニット１０６に導通しない（例えば、低電位出力）。
【００２０】
第１のスイッチ制御器１１４の制御により第１のスイッチユニット１０４が導通していない場合は、コンパレータ回路第２の入力端子１３２の電圧は、コンパレータ回路第１の入力端子１３０内で二次側電圧６０が発生するため、コンパレータ回路第１の入力端子１３０の電圧より小さく、コンパレータ回路１０８が第２のスイッチユニット１０６に導通する（例えば、高電位出力）。トランス二次側１２２が第２のスイッチユニット１０６を介して二次側電流４０を負荷装置３０に伝送する。
つまり、第１のスイッチユニット１０４が導通していない場合、トランス二次側１２２が第２のスイッチユニット１０６を介してエネルギーを放出し始めるのである。
【００２１】
第２のスイッチユニット１０６の力率消耗がダイオードの力率消耗より小さくなることにより、省エネ型コンバーター１０の力率消耗が図２に示した従来技術のコンバーター５０（電流がダイオード５２を経由する）の力率消耗より小さくなる。
【００２２】
コンパレータ回路１０８は、例えば、コンパレータ、力率改善回路または差動増幅回路であるが、これに限定されるものではない。
【００２３】
コンパレータ回路１０８がコンパレータの場合、コンパレータ回路出力端子１２８がコンパレータ出力端子で、コンパレータ回路第１の入力端子１３０がコンパレータ非反転入力端子で、コンパレータ回路第２の入力端子１３２がコンパレータ非反転入力端子である。
【００２４】
第１のスイッチユニット１０４は、例えば、MOSFET（metal oxide semiconductor field effect transistor）、絶縁ゲートバイポーラトランジスタ（insulation gate bipolar transistor、IGBT）またはシリコン制御整流子（silicon controlled rectifier、SCR）であるが、これに限定されるものではない。
【００２５】
第２のスイッチユニット１０６は、例えば、MOSFET、絶縁ゲートバイポーラトランジスタまたはシリコン制御整流子であるが、これに限定されるものではない。
【００２６】
トランス１０２は、フライバックトランス（flyback transformer）、フォワードトランス（forward transformer）、ＬＬＣ共振トランス（inductor-inductor-capacitor resonant transformer）またはプッシュプルトランス（push pull transformer）であるが、これに限定されるものではない。
【００２７】
第２のスイッチユニット１０６は、トランス二次側１２２の低圧側に配置してもよい。
【００２８】
本考案では好適な実施形態を前述の通りに開示したが、これらは決して本考案を限定するものではなく、当該技術を熟知する者は誰でも、本考案の精神と領域を脱しない範囲内で各種の変更や修正を加えることができる。従って、本考案の保護の範囲は、実用新案請求の範囲で指定した内容を基準とする。
【符号の説明】
【００２９】
１０    省エネ型コンバーター
２０    電源供給装置
３０    負荷装置
４０    二次側電流
５０    従来技術のコンバーター
５２    ダイオード
６０    二次側電圧
１０２  トランス
１０４  第１のスイッチユニット
１０６  第２のスイッチユニット
１０８  コンパレータ回路
１１４  第１のスイッチ制御器
１１６  入力端子電気容量
１１８  出力端子電気容量
１２０  トランス一次側
１２２  トランス二次側
１２４  トランス二次側補助巻線
１２８  コンパレータ回路出力端子
１３０  コンパレータ回路第１の入力端子
１３２  コンパレータ回路第２の入力端子
【図１】
0003184612.tif 000003
【図２】
0003184612.tif 000004